(57)【要約】【課題】簡単な操作で、広い範囲にわたって微細な調整をすることができるようにすることが本発明の課題である。【解決手段】支持体１に腕体２を断面非円形の軸３によって回動可能に取り付ける。支持体１は、本体部６の上端に上板部７を設け、左右の側端に側板部８・８を設ける。側板部８・８には、それぞれ５つの円形の孔が括れ部１４・・・１４を介して上下方向に連続する受孔９・９を設ける。腕体２は、先端部分を引掛部１１とし、後端部に受部５を設けて繋ぎ、ループ状にしてある。組み立てるには、支持体１の側板部８・８に設けたいずれかの受孔９・９に軸３を挿通し、軸３の両端部に軸受具４・４を取り付ける。軸受具４には、貫通孔１２を設けて腕体２の後端部を貫通させ、後端部に受部５を設けて繋ぐ。軸３は、断面小判型で、腕体２の後端部を軸受具４・４の貫通孔１２・１２に貫通させた時、その断面は、腕体２の長手方向に長くなるようになっている。【選択図】図１
2007275194.tif 000002
【特許請求の範囲】
【請求項１】
略垂直状態に設けられる支持体に腕体を前方に略水平状態に設けて被取付体に取り付けられる物掛け具において、支持体は、本体部の上部に後方に突出する上板部を設けると共に、本体部の側部に左右方向に貫通する受孔を設け、受孔は、複数の孔を括れ部を介して上下方向に連続して設けて成るものであり、受孔には断面非円形の軸を貫通させ、腕体は、先端部に引掛部を設けると共に後端部に受部を設けて成り、軸に腕体を取り付け、腕体は、支持体の本体部に対して略直角の時に、軸が受孔の括れ部を通過できずに移動不能で、かつ支持体の本体部に対して先端部を回動して一定以上傾けた時に、軸が受孔の括れ部を通過して上下に移動が可能になるようにして成り、腕体を支持体の本体部に対して一定以上傾けて上下に移動してその位置を変更し、支持体の上板部を被取付体の上面に載置すると共に、腕体を略直角に回動して受部の上面を被取付体の下面に当接させて取り付けるように成し、被取付体の厚さに応じて取り付けられるように構成したことを特徴とする物掛け具。
【発明の詳細な説明】
【技術分野】
【０００１】
本発明は、窓枠やドア枠の上枠や鴨居等の被取付体に取り付けて、主に、洗濯物を掛けたハンガー等を吊下げて物干として使用する物掛け具に関するものである。
【背景技術】
【０００２】
この種の物掛け具においては、取付可能な被取付体の厚さは、支持体の上板部下面と、受孔に挿通した腕体の当接部上面との間の距離によって決まるが、その距離を変更して取付可能な被取付体の厚さ寸法に対応するために、実願昭５９−４６２１０号（実開昭６０−１５８４７６号）考案及び特願２００３−２７３９８５号（特開２００５−３４３４９号）発明が提案されている。
【０００３】
前者の従来例においては、本発明の物掛け具が取り付けられる被取付体の厚さ寸法に対応するために、腕体を挿通する受孔を独立して複数段上下に設けて、腕体を挿通する受孔を変更して調整しているものである。また、後者の従来例は、前者の構成に加えて、腕体の後端部に、回動中心からの距離が異なる複数の当接面を有する受具を、回動可能に設けて、受具を回動することによって腕体からの突出高さを異ならせて微細な調整も可能にしたものである。
【特許文献１】実開昭６０−１５８４７６号公報
【特許文献２】特開２００５−３４３４９号公報
【発明の開示】
【発明が解決しようとする課題】
【０００４】
前者の従来例においては、受孔を独立して設けるため、強度の問題からその間隔を小さくすることが難しく、微調整ができないという問題があり、この問題を解決するために、後者の従来例は、前者の構成に加えて、腕体の後端部に回動可能な受具を設けたものであるが、大きな調整をするのに、腕体を、支持体から外して複数の受孔のいずれかに挿通して行い、その後微調整を、受具を回動することによって行うという操作が必要であり、その操作が面倒であるという問題があり、簡単な操作で、大きな調整も微調整も行うことができるようにすることが本発明の課題である。
【課題を解決するための手段】
【０００５】
本発明は、上記の課題を解決するために、略垂直状態に設けられる支持体に腕体を前方に略水平状態に設けて被取付体に取り付けられる物掛け具において、支持体は、本体部の上部に後方に突出する上板部を設けると共に、本体部の側部に左右方向に貫通する受孔を設け、受孔は、複数の孔を括れ部を介して上下方向に連続して設けて成るものであり、受孔には断面非円形の軸を貫通させ、腕体は、先端部に引掛部を設けると共に後端部に受部を設けて成り、軸に腕体を取り付け、腕体は、支持体の本体部に対して略直角の時に、軸が受孔の括れ部を通過できずに移動不能で、かつ支持体の本体部に対して先端部を回動して一定以上傾けた時に、軸が受孔の括れ部を通過して上下に移動が可能になるようにして成り、腕体を支持体の本体部に対して一定以上傾けて上下に移動してその位置を変更し、支持体の上板部を被取付体の上面に載置すると共に、腕体を略直角に回動して受部の上面を被取付体の下面に当接させて取り付けるように成し、被取付体の厚さに応じて取り付けられるように構成したことを特徴とするものである。
【発明の効果】
【０００６】
以上のように本発明によれば、腕体を、支持体から外すことなく上下に移動させる距離を大きくすることができ、なおかつ、腕体を挿通する受孔は、独立して複数段設けるのではなく、上下方向に複数連続して設けて成るので、その間隔を小さくすることが可能であり、簡単な操作で、広い範囲にわたって微細な調整をすることができるという効果がある。
【実施例１】
【０００７】
本発明の物掛け具は、支持体１に腕体２を断面非円形の軸３によって回動可能に取り付けられている。支持体１は、金属板に合成樹脂製のカバーを被せて成り、縦長の長方形状の本体部６の上端には、上板部７を直角に後方に折曲して設け、左右の側端には、側板部８・８を直角に後方に折曲して設けてある。側板部８・８には、それぞれ５つの円形の孔が括れ部１４・・・１４を介して上下方向に連続する受孔９・９を設け、上板部７の後端縁の２箇所に下方向に突出する爪部１０・１０を設けてある。
【０００８】
腕体２は、金属棒材を細長いＵ字状に折曲して先端部分を引掛部１１とし、平行に分かれている後端部に合成樹脂製の受部５を設けて繋ぎ、ループ状にしてある。腕体２の先端部分の引掛部１１には、引掛けるものが滑って移動するのを防止するための球状のストッパー１３・・・１３を設けてある。
【０００９】
本発明の物掛け具を組み立てるには、まず、支持体１の側板部８・８に設けた、対向して対となっているいずれかの受孔９・９に軸３を挿通し、軸３の両端部に軸受具４・４を取り付ける。この軸受具４には、軸３方向と直行する方向に貫通孔１２を設けてあり、それぞれの貫通孔１２・１２に腕体２の平行に分かれている後端部をそれぞれ貫通させ、後端部に合成樹脂製の受部５を設けて繋いでループ状にする。
【００１０】
軸３は、一方向が長い断面略小判型で、腕体２の後端部を軸受具４・４の貫通孔１２・１２に貫通させた時、その断面は、腕体２の長手方向に長くなるようになっている。軸３の断面は、一方向（横方向）の寸法が受孔９の括れ部１４の幅寸法よりも長く、他方向（縦方向）の寸法が、受孔９の括れ部１４の幅寸法よりも短くなっていればよい。
【００１１】
腕体２が水平で支持体１に対して直角になっている時は、軸３は横長の状態（図５参照）で、受孔９・９の括れ部１４・１４を通過できず、腕体１は、回動はできるが上下に移動はできない状態であり、引掛部１１が上になるように腕体１を回動して支持体１に対して平行になっている時は、軸３は縦長の状態（図６参照）で、受孔９・９の括れ部１４・１４を通過可能で、腕体１は、上下に移動できる状態になる。
【００１２】
本発明の物掛け具を被取付体Ｔに取り付けるには、図３及び図６に示すように、腕体１を回動して支持体１に対して平行にして、被取付体Ｔの厚さに応じて上下いずれかに移動させた後、支持体１の上板部７を、被取付体Ｔの上面に載置し、爪部１０・１０を喰い込ませる。その後、腕体１の先端を下方に回動して受部５を被取付体Ｔの下面に当接させて取り付ける。
【図面の簡単な説明】
【００１３】
【図１】腕体が水平状態の本発明の全体斜視図である。
【図２】本発明の取付状態を示す一部断面図である。
【図３】腕体が垂直状態の本発明の全体斜視図である。
【図４】本発明の要部の分解斜視図である。
【図５】腕体が水平状態の本発明の縦断面図である。
【図６】腕体が垂直状態の本発明の縦断面図である。
【図７】本発明を薄い被取付体に取り付けた状態を示す一部断面図である。
【図８】本発明を厚い被取付体に取り付けた状態を示す一部断面図である。
【符号の説明】
【００１４】
１    支持体
２    腕体
３    軸
５    受部
６    本体部
７    上板部
９    受孔
１１    引掛部
【図１】
2007275194.tif 000003
【図２】
2007275194.tif 000004
【図３】
2007275194.tif 000005
【図４】
2007275194.tif 000006
【図５】
2007275194.tif 000007
【図６】
2007275194.tif 000008
【図７】
2007275194.tif 000009
【図８】
2007275194.tif 000010